(57)【要約】【課題】容易に人体の末梢部における血行情報を測定できるようにする。【解決手段】血行情報算出装置３０は、取得部３２、算出部３４、及び出力部３６を有している。取得部３２は、指尖部測定装置から指尖脈波情報並びに指尖血流量情報を取得する。血行情報算出装置３０は、指尖脈波情報、指尖血流量情報を用いて、血行情報を算出する。取得部３２は、上腕部測定装置から被験者の上腕における血圧の測定結果を示す上腕血行情報をさらに取得する。算出部３４は、さらに上腕血行情報を用いて血行情報を算出する。血行情報は、例えば動脈狭窄度を含む。【選択図】図３
2020110443.tif 000002
【特許請求の範囲】
【請求項１】
被験者の指尖における細小血管の脈波の測定結果を示す指尖脈波情報と、被験者の指尖における細小血管の血流量の測定結果を示す指尖血流量情報と、を取得する取得部と、
前記指尖脈波情報を用いて前記被験者の指尖における細小血管の血圧に関する情報を算出するとともに、前記指尖血流量情報を用いて前記被験者の指尖における細小血管の血流量に関する情報を算出する算出部と、
を備える血行情報算出装置。
【請求項２】
請求項１に記載の血行情報算出装置において、
前記指尖における細小血管の血圧に関する情報は、細小血管の収縮期血圧、拡張期血圧、及び平均血圧を含み、前記指尖における細小血管の血流量に関する情報は、細小血管の平均血流量を含む血行情報算出装置。
【請求項３】
請求項１又は２に記載の血行情報算出装置において、
前記算出部は、
前記細小血管の脈波の面積時間平均、並びに前記脈波の変動から測定される前記細小血管の収縮期血圧及び拡張期血圧を用いて前記細小血管における平均血圧を算出し、
前記平均血圧及び前記指尖血流量情報を用いて前記細小血管の血管抵抗指数を算出する血行情報算出装置。
【請求項４】
請求項１〜３のいずれか一項に記載の血行情報算出装置において、
前記算出部は、上腕血行情報と前記細小血管の血圧に関する情報を用いて動脈狭窄度を算出する血行情報算出装置。
【請求項５】
請求項１〜４のいずれか一項に記載の血行情報算出装置において、
さらに、一方の軸が前記細小血管の血管抵抗指数の値であり他方の軸が動脈狭窄度又は動脈弾性度を示すグラフを表示するためのグラフ情報を生成する表示処理部を備える血行情報算出装置。
【請求項６】
請求項５に記載の血行情報算出装置において、
前記表示処理部は、前記グラフが前記細小血管の血流情報又は血圧情報をさらに示すように前記グラフ情報を生成する血行情報算出装置。
【請求項７】
請求項５又は６に記載の血行情報算出装置において、
前記グラフ情報は、前記グラフにおいて正常な領域を認識可能な状態で表示させる情報を含む血行情報算出装置。
【請求項８】
コンピュータが、
被験者の細小血管の脈波の測定結果を示す指尖脈波情報と、被験者の細小血管の血流量の測定結果を示す指尖血流量情報と、を取得し、
前記指尖脈波情報を用いて前記被験者の細小血管の血圧に関する情報を算出するとともに、前記指尖血流量情報を用いて前記被験者の細小血管の血流量に関する情報を算出する、血行情報算出方法。
【請求項９】
コンピュータに、請求項８に記載の血行情報算出方法を行わせるためのプログラム。
【発明の詳細な説明】
【技術分野】
【０００１】
本発明は、血行情報算出装置、血行情報算出方法、及びプログラムに関する。
【背景技術】
【０００２】
血行情報は、人体の健康状態を把握するうえで重要な指標の一つである。例えば特許文献１には、血圧と心機能と末梢血管抵抗を計測することにより、心機能および末梢血管抵抗の血圧上昇の寄与を出力することが記載されている。また、特許文献２には、圧電素子を用いて血流速及び血管径を測定し、さらに血流速及び血管径から血管抵抗及び血圧を算出することが記載されている。
【先行技術文献】
【特許文献】
【０００３】
【特許文献１】特開２０００−３７３５８号公報
【特許文献２】特開２００８−１８３４１４号公報
【発明の概要】
【発明が解決しようとする課題】
【０００４】
本発明者は、容易に人体の末梢部における細小血管の血流量や血圧に関する情報が得られるようにすることを検討した。本発明が解決しようとする課題としては、容易に人体の指尖における細小血管の血流量や血圧に関する情報を得られるようにすることが一例として挙げられる。
【課題を解決するための手段】
【０００５】
請求項１に記載の発明は、被験者の指尖における細小血管の脈波の測定結果を示す指尖脈波情報と、被験者の指尖における細小血管の血流量の測定結果を示す指尖血流量情報と、を取得する取得部と、前記指尖脈波情報を用いて前記被験者の指尖における細小血管の血圧に関する情報を算出するとともに、前記指尖血流量情報を用いて前記被験者の指尖における細小血管の血流量に関する情報を算出する算出部と、を備える血行情報算出装置である。
【０００６】
請求項８に記載の発明は、コンピュータが、被験者の細小血管の脈波の測定結果を示す指尖脈波情報と、被験者の細小血管の血流量の測定結果を示す指尖血流量情報と、を取得し、前記指尖脈波情報を用いて前記被験者の細小血管の血圧に関する情報を算出するとともに、前記指尖血流量情報を用いて前記被験者の細小血管の血流量に関する情報を算出する、血行情報算出方法である。
【０００７】
請求項９に記載の発明は、コンピュータに、請求項８に記載の血行情報算出方法を行わせるためのプログラムである。
【図面の簡単な説明】
【０００８】
【図１】実施形態に係る血行情報算出装置を、その使用環境とともに示す図である。
【図２】（a）〜（d）は、いずれも指尖脈波測定装置の構成の一例を示す図である。
【図３】血行情報算出装置のハードウェア構成の一例を示す図である。
【図４】指尖脈波測定装置の動作の一例を説明するためのフローチャートである。
【図５】図４のステップＳ３０の詳細を説明するためのフローチャートである。
【図６】図５の続きを示すフローチャートである。
【図７】表示処理部が表示装置に表示させる画面の第１例を示す図である。
【図８】表示処理部が表示装置に表示させる画面の第２例を示す図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る血行情報算出装置３０を、その使用環境とともに示す図である。血行情報算出装置３０は、被験者の末梢部分の細小血管の血行に関する情報（以下、血行情報と記載）を算出する装置であり、指尖部測定装置１０、上腕部測定装置２０、及び表示装置４０とともに使用される。なお、ここでの指尖とは、手指のほか足趾も含まれ、指の末節（末梢側）であって手指あるいは足趾の基部ではない。また、ここでの細小血管とは、直径が数百μｍ未満、概ね300μｍ未満の血管であって、つまり細動脈から末梢側の血管（細動脈、毛細血管）であって、細動脈より太い血管(直径が概ね１ｍｍ以上)を含まない。なお、指尖の細小血管の血行情報とは、指尖の細小血管の血圧情報（例えば収縮期血圧（ＳＢＰ）、拡張期血圧（ＤＢＰ）及び平均血圧（ＭＢＰ））、並びに指尖の細小血管の血流量情報（例えば平均血流量（Ｑ））、並びに末梢の血管抵抗指数、並びに動脈狭窄度（ＦＢＩ）、及び脈拍の最新値などを示す。
【００１１】
指尖部測定装置１０は、指尖脈波測定部１４及び指尖血流量測定部１６を含んでいる。指尖脈波測定部１４は、被験者の指尖の細小血管の脈波を測定する。指尖血流量測定部１６は被験者の指尖の細小血管の血流量を測定する。指尖部測定装置１０は、測定した結果を示す情報を上記した指尖血行情報として血行情報算出装置３０に出力する。この出力は有線で行われてもよいし無線で行われてもよい。
【００１２】
図１に示す例において、指尖部測定装置１０は加圧部１２を備えている。加圧部１２は、測定を行う際に指尖に圧力を加える。加圧部１２は、構造上、指尖脈波測定部１４と一体になっていてもよいし、指尖脈波測定部１４とは別に設けられていてもよい。
【００１３】
上腕部測定装置２０は被験者の上腕の脈波を測定する。上腕部測定装置２０は、さらに、被験者の上腕部における収縮期血圧及び拡張期血圧のそれぞれを測定する。上腕部測定装置２０は、測定した結果を上腕血行情報として血行情報算出装置３０に出力する。この出力は有線で行われてもよいし無線で行われてもよいし、図示せぬ入力装置を用いて手動で入力して行われても良い。また、上腕部測定装置２０は、一般的な上腕血圧計であっても良い。入力装置は、ユーザの操作を受け付ける。例えば、入力装置は、表示装置４０の表示画面に重ねて設置されるキーボードや、リモコン、又は表示装置４０の表示画面と一体化されるタッチパネルであってもよい。或いは、入力装置は、ユーザの操作を受け付ける任意の機器（例えば、キーボードやマウスやタッチパッド、音声操作等）であってもよい。
【００１４】
血行情報算出装置３０は、取得部３２、算出部３４、及び出力部３６を有しており、指尖脈波測定部１４、指尖血流量測定部１６、及び上腕部測定装置２０の測定結果を用いて血行情報を算出する。取得部３２は、被験者の細小血管の脈波の測定結果を示す指尖脈波情報と、被験者の細小血管の血流量の測定結果を示す指尖血流量情報と、を取得する。算出部３４は、指尖脈波情報を用いて被験者の細小血管の血圧に関する情報を算出するとともに、指尖血流量情報を用いて被験者の細小血管の血流量に関する情報を算出する。出力部３６は、算出部３４が算出した結果を用いて表示データを生成し、この表示データを表示装置４０に出力する。この表示データは、例えば図７及び図８に示すグラフの少なくとも一方を表示させるためのデータを含んでいる。表示装置４０は、表示データに基づいて表示を行う。血行情報算出装置３０が行う処理の詳細及び血行情報の具体例については後述する。
【００１５】
また、血行情報算出装置３０は制御部３８を有している。制御部３８は指尖部測定装置１０を制御する。より具体的には、制御部３８は加圧部１２の圧力を制御して指尖に加わる圧力を制御し、指尖脈波測定部１４並びに指尖血流量測定部１６におけるデータ取得に関する制御を行う。また、制御部３８は上腕部測定装置２０を制御しても良い。また、指尖部測定装置１０あるいは血行情報算出装置３０は生体を加温するための加温制御機構を有し体幹部（頭部、頸部、胸部，腹部、背中など）や末梢部（前腕、上腕、手指、指尖、下肢、足趾など）を加温しても良い。また、指尖部測定装置１０あるいは血行情報算出装置３０は、測定環境を取得するための温湿度計測部や皮膚温度計測部を有し、たとえば測定する場所の室温、湿度や、被験者の皮膚温度を測定してもよい。
【００１６】
図２（a）は、指尖部測定装置１０の構成の第１例を示す図である。本図に示す指尖部測定装置１０は、挿入部１８、及び指尖血流量測定部１６を備えている。挿入部１８は被験者の指尖が挿入される部材であり、例えばカフである。挿入部１８は、カフの場合、内面が変形することによって、すなわちカフの空気袋（ブラダ）が膨らむことで指尖に圧力を加えることができる。すなわち挿入部１８は加圧部１２を兼ねている。挿入部１８の変形は、例えば血行情報算出装置３０の制御部３８によって制御されている。
【００１７】
さらに、挿入部１８には、指尖脈波測定部１４が一体的に設けられている。指尖脈波測定部１４は例えばカフを有しており、指尖への加圧と同時に指尖の脈波（以下、指尖脈波と記載）を示す情報（以下、指尖脈波情報と記載）を生成し、血行情報算出装置３０に出力する。また、挿入部１８には指尖血流量測定部１６が取り付けられている。この形態では、カフによる指尖部の圧迫と同時に心臓の拍動に同調した血管壁の振動をカフ内圧変動として圧力トランスデュ―サ（空気圧センサ等）によって脈波（例えば圧脈波、容積脈波）として検出することで測定される。指尖血流量測定部１６は、組織を循環する血液の流れ、すなわち血液の流量を測定するものが好ましく、例えば、血流量＝血液量×血液速度で演算されるレーザドップラ血流計であり、上記した指尖血流量情報を生成し、血行情報算出装置３０に出力する。なお、レーザドップラ方式では生体の深い部分の血流情報を得ることはできないため、レーザドップラ血流計を用いることによって指尖の細小血管を測定対象とすることができる。
【００１８】
図２（b）は、指尖部測定装置１０の構成の第２例を示す図である。本図に示す指尖部測定装置１０は、指尖脈波測定部１４が挿入部１８とは別になっている点を除いて、図２（a）に示した例と類似している。この形態では、指尖脈波測定部１４は、加圧部１２による指尖部の圧迫によって、心臓の拍動に同調した血管壁の振動を圧力トランスデュ―サ（感圧センサ、荷重センサ）によって脈波（圧脈波）として検出するものによって行われても良いし、心臓の拍動に同調した血管壁の振動を容積変化として検出する光電脈波センサによって脈波（容積脈波）として検出するものによって行われても良い。また、この形態においては、加圧部１２は、カフのほか、モータなどによる機械的な機構が用いられても良い。
【００１９】
図２（c）は、指尖部測定装置１０の構成の第３例を示す図である。本図に示す指尖部測定装置１０は、指尖脈波測定部１４と指尖血流量測定部１６が積層されている（又は一体になっている）点を除いて、図２（b）に示した例と同様である。なお、指尖脈波測定部１４の上に指尖血流量測定部１６が設けられていてもよいし、指尖血流量測定部１６の上に指尖脈波測定部１４が設けられていてもよい。また、指尖脈波測定部１４と指尖血流量測定部１６が同一基板上に集積、一体化されていてもよい。
【００２０】
図２（d）は、指尖部測定装置１０の構成の第４例を示す図である。本図に示す指尖部測定装置１０は、挿入部１８に複数の指尖脈波測定部１４が取り付けられている点を除いて、図２（b）に示した例と同様である。
【００２１】
図３は、血行情報算出装置３０のハードウェア構成の一例を示す図である。血行情報算出装置３０の主な構成は、集積回路を用いて実現される。この集積回路は、バス４０２、プロセッサ４０４、メモリ４０６、ストレージデバイス４０８、入出力インタフェース４１０、及びネットワークインタフェース４１２を有する。バス４０２は、プロセッサ４０４、メモリ４０６、ストレージデバイス４０８、入出力インタフェース４１０、及びネットワークインタフェース４１２が、相互にデータを送受信するためのデータ伝送路である。ただし、プロセッサ４０４などを互いに接続する方法は、バス接続に限定されない。プロセッサ４０４は、マイクロプロセッサなどを用いて実現される演算処理装置である。メモリ４０６は、RAM（Random Access Memory）などを用いて実現されるメモリである。ストレージデバイス４０８は、ROM（Read Only Memory）やフラッシュメモリなどを用いて実現されるストレージデバイスである。
【００２２】
入出力インタフェース４１０は、血行情報算出装置３０を周辺デバイスと接続するためのインタフェースである。
【００２３】
ネットワークインタフェース４１２は、血行情報算出装置３０を通信網に接続するためのインタフェースである。ネットワークインタフェース４１２が通信網に接続する方法は、無線接続であってもよいし、有線接続であってもよい。
【００２４】
ストレージデバイス４０８は、血行情報算出装置３０の各機能要素を実現するためのプログラムモジュールを記憶している。プロセッサ４０４は、このプログラムモジュールをメモリ４０６に読み出して実行することで、血行情報算出装置３０の各機能を実現する。また、ストレージデバイス４０８は情報記憶としても機能する。
【００２５】
なお、上記した集積回路のハードウェア構成は本図に示した構成に限定されない。例えば、プログラムモジュールはメモリ４０６に格納されてもよい。この場合、集積回路は、ストレージデバイス４０８を備えていなくてもよい。
【００２６】
図４は、指尖部測定装置１０の動作の一例を説明するためのフローチャートである。本図を用いた説明には、血行情報算出装置３０が行う処理の一部も含まれる。まず、指尖部測定装置１０並びに血行情報算出装置３０の操作者は、例えば入力装置からの入力または別途測定した測定結果を用いて設定欄４２内の被験者情報並びに測定条件を血行情報算出装置３０に設定する（ステップＳ１０）。測定条件には、昇圧時の測定条件及び一定圧時の測定条件が含まれる。より具体的には、昇圧時の測定条件の一つは、圧力の上限値（例えば１５０ｍｍＨｇ）であり、被験者の上腕血圧値に応じて測定ごとに必要な加圧上限値が設定されても良い。また、一定圧時の測定条件の一つは、一定となった時の圧力である。また、設定される測定条件には、一定圧に保持すべき時間、及びリサージュ波形の表示画面においてリサージュ波形を保持する時間の長さが含まれる。
【００２７】
次いで、被験者は指尖部測定装置１０の挿入部１８に指を挿入する（ステップＳ２０）。次いで、指尖部測定装置１０及び血行情報算出装置３０は、血行情報の生成処理を実行する（ステップＳ３０）。
【００２８】
図５及び図６は、図４のステップＳ３０の詳細を説明するためのフローチャートである。まず、図５に示すように、血行情報算出装置３０の制御部３８は、挿入部１８の内面を変形させることによって、すなわちカフの空気袋（ブラダ）を膨らませて、より具体的には被験者の指尖に加える圧力を上限値まで上昇させていく。この時の圧力の上昇スピードは、適切に調整が可能であり、例えば２ｍｍＨｇ／秒以上３ｍｍＨｇ／秒以下である。圧力が上昇している間、指尖脈波測定部１４は被験者の指尖の脈波による振動波形（オシレーション）を測定し続ける（ステップＳ１０２）。この測定結果は、血行情報算出装置３０に繰り返し出力される。そして、血行情報算出装置３０の算出部３４は、この測定結果を用いて指尖の細小血管における収縮期血圧（指尖収縮期血圧）及び拡張期血圧（指尖拡張期血圧）を特定する（ステップＳ１０４）。この特定には、例えばオシロメトリック法が用いられる。例えば、一被験者での繰り返し測定（ｎ＝６）において、上腕血圧が収縮期９９±２ｍｍＨｇ、拡張期６３±２ｍｍＨｇの時、指尖の血圧測定結果は収縮期８２±５ｍｍＨｇ、拡張期３９±７ｍｍＨｇであり、指尖では細小血管の抵抗によって減衰した圧力となるため、上腕血圧値に対してより低い値となる。なお、指基部では細小血管よりも太い小動脈が測定対象となるため、血圧の減衰があまりなく上腕血圧値に近い値となることが知られている。なお、指尖の血圧測定においては、一般的な上腕血圧計で行われているような加圧後の減圧過程での脈波測定からでも実施は可能であるが、指尖において加圧後の減圧過程での測定は、細小血管が潰れることによる物理的影響が大きくなると考えられるため、より高精度には昇圧過程による測定が好ましく、実施例では昇圧測定例を示した。
【００２９】
そして、制御部３８は、挿入部１８の内部の圧力をいったん下げたのち、再び挿入部１８の内部を加圧し、挿入部１８が指尖に加える圧力を、血行情報算出装置３０が特定した指尖拡張期血圧から一定圧（例えば１０ｍｍＨｇ）低い圧力に維持する。そしてこの維持している間も、指尖脈波測定部１４は被験者の指尖の脈波の波形を繰り返し測定する（ステップＳ１０６）。この測定結果も、血行情報算出装置３０に出力され続ける。算出部３４は、この脈波の面積時間平均、並びにステップＳ１０４で算出した指尖収縮期血圧及び指尖拡張期血圧を用いて、指尖の細小血管の平均血圧（指尖平均血圧）を特定する（ステップＳ１０８）とともに、脈拍も特定する。指尖平均血圧は、1拍分あるいは数拍分の脈波の面積時間平均、例えば波形を時間軸で積分し、時間で割ることにより算出される。指尖平均血圧は他の方法によって測定されてもよい。例えば指尖平均血圧は、（指尖拡張期血圧）＋（指尖収縮期血圧−指尖拡張期血圧）／３によって概算される。
【００３０】
また、被験者は、上腕部測定装置２０を用いて、上腕部の拡張期血圧及び収縮期血圧を測定する。取得部３２は、この測定結果も取得する。そして算出部３４は、上腕部の収縮期血圧に対する指尖収縮期血圧との比を算出する（ステップＳ１１０）。この比は、上腕部より末梢側の動脈硬化指数である動脈狭窄度を示しており、パーセンテージで表されてもよい。上腕血圧の測定は、例えば、上述したステップＳ１０２の間、すなわち挿入部１８の圧力が上昇している間に指尖脈波測定部１４が被験者の指尖の脈波の振動波形（オシレーション）を測定し続けるタイミングと同時に測定されることが望ましい。ただし、上腕血圧の測定は、ステップＳ１０２より前のタイミングに行われてもよいし、ステップＳ１０２より前のタイミングで１回目の上腕血圧測定を行い、すべての測定が終了した後に２回目の上腕血圧測定を行い、２つの平均値を用いて上腕部の収縮期血圧と前記指尖収縮期血圧との比を算出しても良い。
【００３１】
次いで、図６に示すように、血行情報算出装置３０の制御部３８は、挿入部１８の内部の圧力をいったん下げたのち、再び挿入部１８の内部を加圧し、挿入部１８が指尖に加える圧力を、一定圧（例えば１０ｍｍＨｇ）に維持する。この状態で、指尖血流量測定部１６は、指尖の血流量を示すデータ、例えば指尖の血流波形を生成し、血行情報算出装置３０に出力する。血行情報算出装置３０の算出部３４は、このデータを用いて、指尖の血流量の時間平均値(平均血流量)を算出する（ステップＳ１１２）。その後、挿入部１８の内部の圧力を下げる。
【００３２】
次いで、血行情報算出装置３０の算出部３４は、ステップＳ１０８で特定した指尖平均血圧をステップＳ１１２で算出した指尖の血流量の時間平均値で割ることにより、末梢部の血管抵抗指数（末梢血管抵抗指数）を算出する（ステップＳ１１４）。
【００３３】
その後、血行情報算出装置３０の制御部３８は、挿入部１８の内部の圧力をいったん下げたのち、再び挿入部１８の内部を加圧し、挿入部１８が指尖に加える圧力を、血行情報算出装置３０が特定した指尖拡張期血圧から一定圧（例えば１０ｍｍＨｇ）低い圧力に維持する。血行情報算出装置３０の算出部３４は、指尖の血流波形のＡＣ成分を横軸として、指尖の脈波形のＡＣ成分を縦軸とするグラフ（リサージュ曲線）を描画するためのデータを生成し、このデータを処理することによって動脈弾性度を生成する（ステップＳ１１６）。リサージュ曲線から動脈弾性度を算出するためのルールは、例えばリサージュ曲線の形状の特徴量を抽出し、統計的にデータを処理することにより決定される。この動脈弾性度も、上腕部より末梢側の動脈硬化度を示している。
【００３４】
昇圧による指尖収縮期血圧及び拡張期血圧の測定、一定圧保持による指尖平均血圧測定、一定圧保持による指尖平均血流量測定、並びに一定圧保持によるリサージュ曲線描画のそれぞれのシーケンスの順番は、より適切な順番に変更が可能である。例えば一連のシーケンスの最初に一定圧保持による指尖平均血流量測定を行っても良い。あるいは、一定圧保持による指尖平均血圧測定と一定圧保持によるリサージュ曲線描画のシーケンスの一定圧保持条件が同じ場合は、それぞれ同時に測定を行っても良い。
【００３５】
その後、算出部３４は、表示用のデータを生成し（ステップＳ１１８）、このデータを用いて表示装置４０に表示画面を表示させる（ステップＳ１２０）。
【００３６】
図７は、出力部３６が表示装置４０に表示させる画面の第１例を示している。この例は、実際に操作を行う医療関係者（例えば医師、看護師、臨床検査技師）向けの画面であり、指尖部測定装置１０並びに血行情報算出装置３０の動作を開始する測定開始ボタン４１、指尖部測定装置１０並びに血行情報算出装置３０の被験者情報や測定条件の入力を行う設定欄４２、指尖血流量の時間変位（生波形）の表示欄４３、指尖脈波の生波形の表示欄４４、リサージュ波形の表示欄４５、測定波形の表示欄４６、及び算出部３４が特定した値の表示欄４７を含んでいる。なお、設定欄４２への入力装置は図示していないが、自動的に入力されても良いし、手動で入力されても良く、キーボードやタッチパネルや音声入力など一般の入力装置を用いてよい。表示欄４６に表示される測定波形は、昇圧あるいは定圧測定時のカフ圧の時間変位、指尖の血流量の時間変位、指尖の脈波の時間変位の少なくとも一つである。また、表示欄４７には、指尖の細小血管の血圧情報（例えば収縮期血圧（ＳＢＰ）、拡張期血圧（ＤＢＰ）及び平均血圧（ＭＢＰ））、並びに指尖の細小血管の血流量情報（例えば平均血流量（Ｑ））、並びに末梢の血管抵抗指数、並びに動脈狭窄度（ＦＢＩ）、及び脈拍の最新値が同時に表示される。また、表示装置４０は、測定場所の温度や湿度などの環境条件や、被験者の皮膚温度の計測結果を表示しても良い。
【００３７】
また、図７に示す画面は、指尖部測定装置１０並びに血行情報算出装置３０の動作を停止させるための停止ボタン４８も含んでいる。
【００３８】
図８は、出力部３６が表示装置４０に表示させる画面の第２例を示している。この例は、医療従事者に加え被験者向けの画面であり、一方の軸が末梢血管抵抗指数の値であり他方の軸が動脈硬化指数としての動脈狭窄度又は動脈弾性度を示すグラフを含んでいる。グラフへの表示には、一方の軸が動脈狭窄度の場合はその逆数がより好ましい。また、このグラフには、正常な領域を示す情報も含まれている。そして、このグラフにおいて被験者のデータは円で示されているが、この円の大きさは、平均血流量に比例している。この円の大きさは、細小血管の血流情報又は血圧情報、例えば、算出した指尖血圧値、つまり指尖の収縮期血圧、拡張期血圧、平均血圧の少なくとも一つで表しても良い。また、グラフは３次元的に表示しても良い。このため、被験者は、自分の測定結果が正常であるか否かを容易に認識することができる。また、被験者の測定結果が正常な領域外に位置していた場合、被験者の測定結果は、特定の病気の種類、例えば高血圧症における病態（例えば老年性収縮期高血圧又は本態性高血圧）であることを示す情報（例えば表示例１及び表示例２に示すテキストデータ）とともに表示されても良い。なお本血行情報算出装置では、指尖の血行情報によって、高血圧症における詳細な病態の解析や、糖尿病細小血管障害といった末梢血管障害の評価に応用が可能である。
【００３９】
以上、本実施形態によれば、指尖部測定装置１０を用いているため、容易に人体の末梢部における血行情報を測定できる。また、図７及び図８に示した画面により、医療関係者及び被験者は、測定結果を容易に認識することができる。
【００４０】
以上、図面を参照して実施形態及び実施例について述べたが、これらは本発明の例示であり、上記以外の様々な構成を採用することもできる。
【符号の説明】
【００４１】
１０  指尖部測定装置
１２  加圧部
１４  指尖脈波測定部
１６  指尖血流量測定部
１８  挿入部
２０  上腕部測定装置
３０  血行情報算出装置
３２  取得部
３４  算出部
３６  出力部
３８  制御部
４０  表示装置
４１  測定開始ボタン
４２  設定欄
４３  表示欄
４４  表示欄
４５  表示欄
４６  表示欄
４７  表示欄
【図１】
2020110443.tif 000003
【図２】
2020110443.tif 000004
【図３】
2020110443.tif 000005
【図４】
2020110443.tif 000006
【図５】
2020110443.tif 000007
【図６】
2020110443.tif 000008
【図７】
2020110443.tif 000009
【図８】
2020110443.tif 000010